(57)【要約】【課題】バネ性能を略同じ性能とすることができ、さらに高周波性能を向上させること。【解決手段】第１コンタクト５は第１バネ部５ｂを有し、第２コンタクト６は、第２バネ部６ｂを有し、前記第２バネ部６ｂにはその板幅寸法内でかつ長手方向に長穴形状のスリット６ｅが形成されており、該スリット６ｅを含む前記第２バネ部６ｂの板幅寸法が前記第１バネ部５ｂの板幅寸法よりも広い寸法となっており、前記スリット６ｅを除いた前記第２バネ部６ｂの板幅寸法が前記第１バネ部５ａの板幅寸法と略等しい。【選択図】      図１
2004158291.tif 000002
【特許請求の範囲】
【請求項１】
導電性の第１コンタクトと、導電性の第２コンタクトと、前記第１及び第２コンタクトを保持したインシュレータと、相手側コネクタと嵌合するハウジングとを有し、前記インシュレータと前記ハウジングとは互いに相対移動可能に係合し前記相手側コネクタに接続するコネクタにおいて、
前記第１コンタクトは、前記インシュレータに保持する第１保持部と、第１保持部の一端から延びている第１バネ部と、第１バネ部の一端側に形成され前記相手側コネクタに設けられている第１相手側コンタクトに接続する第１接点部とを有し、
前記第２コンタクトは、前記インシュレータに保持する第２保持部と、第２保持部の一端から延びている第２バネ部と、第２バネ部の一端側に形成され前記第２相手側コネクタに設られている第２相手側コンタクトと接続する第２接点部とを有し、前記第２バネ部には、前記第２バネ部の板幅寸法内でかつ長手方向に長穴形状のスリットが形成されており、該スリットを含む前記第２バネ部の板幅寸法が前記第１バネ部の板幅寸法よりも広い寸法となっており、さらに、前記スリットを除いた前記第２バネ部の板幅寸法が前記第１バネ部の板幅寸法と略等しいことを特徴とするコネクタ。
【請求項２】
請求項１記載のコネクタにおいて、前記ハウジングと結合するガイドインシュレータと、前記ハウジングに回転可能に保持されて前記ハウジング内で前記インシュレータを移動させる操作レバーとを有し、第１コンタクトは、前記第１保持部の他端から延びて第１ケーブルの中心導体に接続する第１端子部を有し、前記第２コンタクトは、前記第２保持部の他端から延びて第１ケーブルの外部導体に接続する第２端子部を有していることを特徴とするコネクタ。
【発明の詳細な説明】
【０００１】
【発明の属する技術分野】
本発明は、ＺＩＦ（Ｚｅｒｏ  Ｉｎｓｅｒｔｉｏｎ  Ｆｏｒｃｅ：無挿入力）コネクタ、特にコネクタと相手側コネクタと接続するコンタクトを備えているコネクタに関する。
【０００２】
【従来の技術】
従来のＺＩＦコネクタは、ベースインシュレータと、このベースインシュレータに組み合わされるカバーインシュレータと、ベースインシュレータに保持したシグナルコンタクト及びグランドコンタクトと、シグナルコンタクト及びグランドコンタクトのそれぞれに接触するようにカバーインシュレータに保持した相手側シグナルコンタクト及び相手側グランドコンタクトとを備えている。
【０００３】
シグナルコンタクト及びグランドコンタクトと、相手側シグナルコンタクト及び相手側グランドコンタクトとは、これらをシグナル及びグランド毎に対峙させた後、シグナルコンタクト及びグランドコンタクト、相手側シグナルコンタクト及び相手側グランドコンタクトの相対的な移動によって互いに接触力をもって接触するものである。
【０００４】
シグナルコンタクトは、ベースインシュレータに保持したシグナル保持部と、このシグナル保持部からベースインシュレータ上へ延びかつ弾性変形可能な平板状のシグナル接触板部と、シグナル接触部からベースインシュレータに外側へ延びているシグナル端子部とを有している。
【０００５】
グランドコンタクトは、ベースインシュレータに保持したグランド保持部と、このグランド保持部からベースインシュレータ上へ延びかつ弾性変形可能な平板状のグランド接触板部と、グランド保持部からベースインシュレータに外側へ延びているグランド端子部とを有している。
【０００６】
シグナルコンタクト及びグランドコンタクトは、長板形状に作られており、シグナルコンタクトのシグナル接触板部の板幅寸法と、グランドコンタクトのグランド接触板部の板幅寸法とを同じ寸法としている。
【０００７】
このコネクタでは、スライダをスライド移動させることによってシグナルコンタクト及びグランドコンタクトを変位させて相手側シグナルコンタクト及び相手側グランドコンタクトに接触させる構成となっている（例えば、特許文献１参照）。
【０００８】
【特許文献１】
特開２０００−２８６０２５号公報（第４〜５頁、図１、図２）
【０００９】
【発明が解決しようとする課題】
しかしながら、従来のコネクタでは、シグナルコンタクトのシグナル接触板部の板幅寸法と、グランドコンタクトのグランド接触板部の板幅寸法とを同じ寸法にしているため、高周波性能をある一定以上にすることが困難であるという問題がある。
【００１０】
また、高周波性能を向上するのために、シグナルコンタクトのシグナル接触板部の板幅寸法よりもグランドコンタクトのグランド接触板部の板幅寸法を大きくすると、互いにバネ性能が異なるために設計が難しくなるという問題がある。
【００１１】
それ故に本発明の課題は、バネ性能をかえることなく、容易に高周波性能（クロストーク性能）を向上させることがきるコネクタを提供することにある。
【００１２】
【課題を解決するための手段】
本発明によれば、導電性の第１コンタクトと、導電性の第２コンタクトと、前記第１及び第２コンタクトを保持したインシュレータと、相手側コネクタと嵌合するハウジングとを有し、前記インシュレータと前記ハウジングとは互いに相対移動可能に係合し前記相手側コネクタに接続するコネクタにおいて、前記第１コンタクトは、前記インシュレータに保持する第１保持部と、第１保持部の一端から延びている第１バネ部と、第１バネ部の一端側に形成され前記相手側コネクタに設けられている第１相手側コンタクトに接続する第１接点部とを有し、前記第２コンタクトは、前記インシュレータに保持する第２保持部と、第２保持部の一端から延びている第２バネ部と、第２バネ部の一端側に形成され前記第２相手側コネクタに設られている第２相手側コンタクトと接続する第２接点部とを有し、前記第２バネ部には、前記第２バネ部の板幅寸法内でかつ長手方向に長穴形状のスリットが形成されており、該スリットを含む前記第２バネ部の板幅寸法が前記第１バネ部の板幅寸法よりも広い寸法となっており、さらに、前記スリットを除いた前記第２バネ部の板幅寸法が前記第１バネ部の板幅寸法と略等しいことを特徴とするコネクタが得られる。
【００１３】
【作用】
本発明に係るコネクタによると、第２コンタクトの第２バネ部の板幅寸法と、第１コンタクトの第１バネ部の板幅寸法とを設定することによってバネ性能を略同じ性能とするとともに、クロストーク性能（高周波性能）を向上させている。
【００１４】
ハウジング、ベースインシュレータ、ガイドインシュレータ、第１コンタクト及び第２コンタクトは、操作レバーとともにコネクタの幅方向にフローティングを行うことができる。また、操作レバーにより、ベースインシュレータをハウジングに対して移動させるものであり、コネクタの厚さ方向にフローティングを行うことができる。更に、ベースインシュレータ、ガイドインシュレータ、第１コンタクト及び第２コンタクトは、コネクタの幅方向及び厚さ方向にフローティングを行うことができる。結局、コネクタは、前述した３つのフローティングを行うことができるので、相手側コネクタにスムーズに嵌合することができる。
【００１５】
【発明の実施の形態】
本発明に係るコネクタの一実施の形態を、図１〜図３を参照して説明する。図１〜図３を参照して、レセプタクルコネクタ（コネクタ）１は、図１〜図３に示されるように、レセプタクルハウジング２と、レセプタクルハウジング２内で図２の左右方向に僅かに移動できるベースインシュレータ（インシュレータ）３と、レセプタクルハウジング２と結合するガイドインシュレータ４と、ベースインシュレータ３に保持される複数のレセプタクルシグナルコンタクト（第１コンタクト）５及びレセプタクルグラウンドコンタクト（第２コンタクト）６と、レセプタクルハウジング２に回転可能に保持されてベースインシュレータ３を移動させる操作レバー７とから構成される。
【００１６】
レセプタクルシグナルコンタクト５は、ベースインシュレータ３に保持する第１保持部５ａと、第１保持部５ａの一端から延びている第１バネ部５ｂと、第１バネ部５ｂの一端側に形成されプラグシグナルコンタクト（第１相手側コンタクト）２３と接続する第１接点部５ｃと、第１保持部５ａの他端から延びてケーブル（第１ケーブル）１２の中心導体１２ａに接続する第１端子部５ｄと有している。
【００１７】
レセプタクルグランドコンタクト６は、ベースインシュレータ３に保持する第２保持部６ａと、第２保持部６ａの一端から延びている第２バネ部６ｂと、第２バネ部６ｂの一端側に形成され第１及び第２プラググランドコンタクト（第２相手側コンタクト）２４、２５と接続する第２接点部６ｃと、第２保持部６ａの他端から延びてケーブル（第１ケーブル）１２の外部導体１２ｂに接続する第２端子部６ｄとを有している。
【００１８】
レセプタクルグランドコンタクト６の第２バネ部６ｂには、第２バネ部６ｂの板幅寸法内でかつ長手方向に長穴形状のスリット６ｃが形成されている。スリット６ｅを含むレセプタクルグランドコンタクト６の第２バネ部６ｂの板幅寸法は、レセプタクルシグナルコンタクト５の第１バネ部５ｂの板幅寸法よりも広い寸法となっている。さらに、スリット６ｅを除いた第２バネ部６ｂの板幅寸法は、レセプタクルシグナルコンタクト５の第１バネ部５ａの板幅寸法と略等しくなるように構成されている。
【００１９】
このように、コネクタでは、レセプタクルグランドコンタクト６の第２バネ部６ｂの板幅寸法と、レセプタクルシグナルコンタクト５の第１バネ部５ａの板幅寸法とを設定することによってバネ性能を略同じ性能とするとともに、クロストーク性能（高周波性能）を向上させている。
【００２０】
操作レバー７は、図４乃至図６にも示すように、レセプタクルコネクタ１の右端側の位置決めを行い、ガイドピン８は、レセプタクルコネクタ１の左端側の位置決めを行う。レセプタクルコネクタ１は、金属製のベースプレート９上に搭載され、後述するカバープレート１０は、ガイドピン８によりベースプレート９に固定される。
【００２１】
操作レバー７は、略Ｌ字形状に構成されて、レセプタクルハウジング２に回転可能に保持される。レセプタクルハウジング２の上には、カバープレート１０が搭載され、操作レバー７の上端付近は、カバープレート１０に設けられた溝１０Ａに挿入され、操作レバー７の下部付近は、ベースプレート９に設けられた溝９Ａを貫通する。操作レバー７の軸７Ａには、２箇所にカム部７Ｂ，７Ｃが形成されており、操作レバー７が回転するとき、図３において、カム部７Ｂは、ベースインシュレータ３を左方向へ押圧し、接続状態にする役目を果たし、このとき、ベースインシュレータ３は、コンタクト５，６のバネの反力で右方向に付勢される。また、図３において、カム部７Ｃは、ベースインシュレータ３を右方向に戻して接続状態を解除し、コンタクト５，６の圧接を開放状態にする役目を果たす。操作レバー７の下端には、操作部７Ｄが形成され、操作部７Ｄは操作板１１に設けられた孔１１Ａに挿入されている。
【００２２】
レセプタクルコネクタ１は、図５に実線で示されるが、このレセプタクルコネクタ１に隣接する他のレセプタクルコネクタ１が同図に２点鎖線で示される。つまり、複数のレセプタクルコネクタ１は、ベースプレート９上に放射状に配置される。ガイドピン８の下端はベースプレート９に固定され、上端付近はカバープレート１０に固定される。なお、カバープレート１０に孔を設けて、ガイドピン８を挿入するようにしても良い。
【００２３】
レセプタクルコネクタ１の嵌合相手となる相手コネクタとしてのプラグコネクタ２１（図１及び図２を参照）は、図４乃至図５には示されていない。
【００２４】
操作レバー７の軸７Ａとベースプレート９の溝９Ａとの間、及び、操作レバー７の軸７Ａとカバープレート１０の溝１０Ａとの間には、図７及び図８に示されるように、レセプタクルコネクタ１の厚さ方向（紙面における上下方向）にクリアランスがほとんど存在しないが、幅方向（紙面における左右方向）に僅かなクリアランスが存在する。このクリアランスの存在により、レセプタクルコネクタ本体（レセプタクルハウジング２、ベースインシュレータ３、ガイドインシュレータ４、各レセプタクルシグナルコンタクト５及びレセプタクルグラウンドコンタクト６の総称）は、操作レバー７とともに搭載装置（ベースプレート９、カバープレート１０及びガイドピン８の総称）に対してレセプタクルコネクタ１の幅方向にフローティングを行うことができる。
【００２５】
また、操作レバー７のカム部７Ｂ，７Ｃにより、ベースインシュレータ３をレセプタクルハウジング２に対して移動させるから、操作レバー７の軸７Ａとレセプタクルハウジング２の軸受部２Ａとの間には、レセプタクルコネクタ１の幅方向にクリアランスがほとんど存在しないが、厚さ方向に僅かなクリアランスが存在する。このクリアランスの存在により、レセプタクルコネクタ本体は、操作レバー７及び搭載装置に対してレセプタクルコネクタ１の厚さ方向にフローティングを行うことができる。
【００２６】
更に、レセプタクルハウジング２とガイドピン８との間には、僅かなクリアランスが存在する。レセプタクルコネクタ本体は、操作レバー７とともに搭載装置に対してレセプタクルコネクタ１の幅方向及び厚さ方向にフローティングを行うことができる。
【００２７】
結局、レセプタクルコネクタ１は、前述した３つのフローティングを行うことができるので、後述するプラグコネクタ２１にスムーズに嵌合することができる。
【００２８】
レセプタクルコネクタ１とプラグコネクタ２１との嵌合及び接続について図３を参照して説明する。
【００２９】
レセプタクルコネクタ１において、各レセプタクルシグナルコンタクト５と各レセプタクルグラウンドコンタクト６とは、千鳥状に配設され、それぞれ同軸ケーブル１２，１３に接続されている。
【００３０】
各同軸ケーブル１２の中心導体１２ａは、レセプタクルシグナルコンタクト５に半田付けされる。各同軸ケーブル１２の外部導体１２ｂは、レセプタクルグランドコンタクト６に半田付けされる。
【００３１】
各同軸ケーブル１３の中心導体１３ａは、レセプタクルシグナルコンタクト５に半田付けされる。各レセプタクルグラウンドコンタクト６と接続する各同軸ケーブル１３の外部導体１３ｂは、グラウンドプレート１４に半田付けされる。グラウンドプレート１４は、ベースインシュレータ３に固定され、レセプタクルコネクタ１のグラウンド部（レセプタクルグラウンドコンタクト６、同軸ケーブル１２，１３の外部導体１２ｂ，１３ｂ）に接続される。各同軸ケーブル１２，１３は、カバーインシュレータ１５により被覆される。
【００３２】
プラグコネクタ２１は、プラグハウジング２２と、プラグハウジング２２に保持される複数のプラグシグナルコンタクト（第１相手側コンタクト）２３、第１プラググラウンドコンタクト２４（第２相手側コンタクト）及び第２プラググラウンドコンタクト２５（第２相手側コンタクト）と、プラグハウジング２２の中央に固定される金属製の取付板２６とから構成される。
【００３３】
取付板２６の上部には、数本の棒２６Ａが形成され、各棒２６Ａは、プリント基板３１に設けられた数個の孔とプリント基板３１上に載置された保護板３２に設けられた数個の孔を、それぞれ貫通する。各棒２６Ａの先端部をかしめることにより、プラグコネクタ２１はプリント基板３１に固定される。
【００３４】
各第１プラググラウンドコンタクト２４と各第２プラググラウンドコンタクト２５とは、平行に配設されて接続され、各プラグシグナルコンタクト２３と各第１プラググラウンドコンタクト２４及び第２プラググラウンドコンタクト２５とは、千鳥状に配設される。各プラグシグナルコンタクト２３の一端はプリント基板３１の回路に接続し、レセプタクルコネクタ１とプラグコネクタ２１とが嵌合したとき、各レセプタクルシグナルコンタクト５の先端は、各プラグシグナルコンタクト２３の他端に形成されたスリット（図示せず）に挿入される。ただし、この状態では、各レセプタクルシグナルコンタクト５と各プラグシグナルコンタクト２３とは接続されていない。各第１のプラググラウンドコンタクト２４の一端はプリント基板３１のグラウンド部に接続し、両コネクタ１，２１が嵌合したとき、各レセプタクルグラウンドコンタクト６の先端は各第１プラググラウンドコンタクト２４と各第２プラググラウンドコンタクト２５との間に挿入される。ただし、この状態では、各レセプタクルグラウンドコンタクト６と各第１のプラググラウンドコンタクト２４及び各第２プラググラウンドコンタクト２５とは接続されていない。
【００３５】
操作板１１を図５において右回転すると、操作レバー７は実線の位置から２点鎖線の位置まで回転する。すると、操作レバー７のカム部７Ｂがベースインシュレータ３をレセプタクルハウジング２に対して移動させる。したがって、図２において、各レセプタクルシグナルコンタクト５と各レセプタクルグラウンドコンタクト６とは矢印方向に平行移動するので、各レセプタクルシグナルコンタクト５の先端は各プラグシグナルコンタクト２３に圧接し、また、各レセプタクルグラウンドコンタクト６の先端は各第１プラググラウンドコンタクト２４に圧接する。よって、両コネクタ１，２１は接続する。
【００３６】
【発明の効果】
以上の説明から明らかなように、本発明に係るコネクタによれば、レセプタクルグランドコンタクトの第２バネ部にスリットが形成され、スリットを含むレセプタクルグランドコンタクトの第２バネ部の板幅寸法がレセプタクルシグナルコンタクトの第１バネ部の板幅寸法よりも広い寸法となっており、スリットを除いた第２バネ部の板幅寸法がレセプタクルシグナルコンタクトの第１バネ部の幅寸法と略等しくなるように構成されているので、レセプタクルグランドコンタクトの第２バネ部の板幅寸法と、レセプタクルシグナルコンタクトの第１バネ部の板幅寸法とを設定することによってバネ性能を略同じ性能とすることができ、さらに高周波性能（クロストーク性能）を向上させることができる。
【図面の簡単な説明】
【図１】本発明に係るコネクタの一実施の形態を、相手側コネクタとの嵌合状態で示している断面図である。
【図２】図１に示したコネクタ及び相手側コネクタの要部を示した斜視図である。
【図３】図１に示したコネクタの正面図（ただし、一部は断面図）を、それぞれ示す。
【図４】図１に示したコネクタの側面図である。
【図５】図３に示したコネクタの平面図である。
【図６】図３における線ＶＩ−ＶＩによる断面図である。
【図７】図３における線ＶＩＩ−ＶＩＩによる断面図である。
【図８】図３における線ＶＩＩＩ−ＶＩＩＩによる断面図である。
【符号の説明】
１    レセプタクルコネクタ（コネクタ）
２    レセプタクルハウジング
２Ａ    軸受部
３    ベースインシュレータ
４    ガイドインシュレータ
５    レセプタクルシグナルコンタクト（第１コンタクト）
５ａ    第１保持部
５ｂ    第１バネ部
５ｄ    第１端子部
６    レセプタクルグラウンドコンタクト（第２コンタクト）
６ａ    第２保持部
６ｂ    第２バネ部
６ｃ    第２接点部
６ｄ    第２端子部
６ｅ    スリット
７    操作レバー
７Ａ    軸
７Ｂ，７Ｃ    カム部
７Ｄ    操作部
８    ガイドピン
９    ベースプレート
９Ａ    溝
１０    カバープレート
１０Ａ    溝
１１    操作板
１１Ａ    孔
１２，１３    同軸ケーブル
１４    グラウンドプレート
１５    カバーインシュレータ
２１    プラグコネクタ
２２    プラグハウジング
２３    プラグシグナルコンタクト
２４    第１プラググラウンドコンタクト
２５    第２プラググラウンドコンタクト
２６    取付板
３１    プリント基板
３２    保護板
【図１】
2004158291.tif 000003
【図２】
2004158291.tif 000004
【図３】
2004158291.tif 000005
【図４】
2004158291.tif 000006
【図５】
2004158291.tif 000007
【図６】
2004158291.tif 000008
【図７】
2004158291.tif 000009
【図８】
2004158291.tif 000010